(57)【要約】【課題】リーフを跨いで図画を設置するときの連続性に優れ、ページめくりを円滑に行うことができる、アルバムリーフの提供。【解決手段】本考案のアルバムリーフの構造改良は底層板を備え、且つ、この底層板は矩形の片体であり、同時に、前記底層板はPVC材質から成り、耐腐蝕性及び耐磨耗性を備えており、大幅にアルバムの保存効果を向上することができ、前記底層板上に図画が粘着固定され、前記図画は二枚の底層板を跨いで設置され、且つ、二枚の底層板間に間隙が留められ、折り返して収納するとき、二枚の底層板間の図画が自然に底層板の間に向かって延伸され、略C字形になり、大幅にその全体強度を向上することができると同時に、ページを跨いでも折線がつかず、また二枚のページを用いて図画をつなげる必要もなく、図画の全体性を維持する効果が達せられる。【選択図】図３
0003143233.tif 000002
【実用新案登録請求の範囲】
【請求項１】
アルバムリーフの構造改良であって、前記アルバムリーフがPVC材質から成る底層板を備え、前記底層板上に二枚の底層板に跨いで図画が粘着固定され、且つ、二枚の底層板間に間隙が留められ、前記アルバムリーフを折り返して収納するとき、二枚の底層板間の図画が自然に底層板間に向かって延伸されて略C字形に湾曲された状態となることを特徴とする、アルバムリーフの構造改良。        
【請求項２】
前記底層板が矩形の片体であることを特徴とする、請求項１に記載のアルバムリーフの構造改良。
【請求項３】
前記図画を底層板に粘着するとき、接着剤を上下の垂直な縦線状または左右の水平な横線状に塗布することを特徴とする、請求項１に記載のアルバムリーフの構造改良。
【考案の詳細な説明】
【技術分野】
【０００１】
本考案はアルバムリーフの構造改良に関し、特に、ページを跨いで図画を配置したとき折線がつかず、同時に図画の完全性が破壊されることがなく、大幅にアルバム全体の強度を向上することができる、アルバムリーフの構造改良に関する。
【背景技術】
【０００２】
社会文化の広がりと変化に伴い、現在人々は芸術面で顕著な進歩と向上を遂げており、このため、人々が行う絵画や撮影において早期の社会とは極めて大きな変化があり、徐々に個人化及び普及化に向けて発展を続けている。そして個人化に向けた発展の結果、作品の保存及び観賞上も注目と要求が高まっている。図１及び図２に従来のアルバムリーフの断面構造図を示す。従来のアルバムはカバー面及び複数のアルバムリーフ１０から構成されており、前記アルバムリーフ１０がカバー面の内部に設置され、アルバムをその上に設置することができるものであり、そのうち、前記アルバムリーフ１０は底層板１１及び内層紙１２から構成され、前記底層板１１は方形の片体であり、且つ、底層板１１の中間部に機械加工で折り曲げ溝１３を形成し、折り曲げ溝１３の設置によって繊維を破壊し、前記底層板１１を折り曲げ溝１３に沿って折り返すことができ、前記内層紙１２は底層板１１上に粘着され、内層紙１２が底層板１１上に貼り付けられて固定される。
【０００３】
しかしながら、上述の従来のアルバムリーフ１０は、その二枚の内層紙１２の間の折り曲げ溝１３に対応する箇所に隙間１４が形成されるため、一枚の図画を二枚の内層紙１２上に分けて設置するとき、前記二枚の内層紙１２の間の隙間１４が図画を半分に隔ててしまい、図画の全体性を維持することが困難になり、図画の連続性が失われ、ページを跨いだ図画全体の見た目が優れず、また大幅に図画の強度が低下し、不便であると共に惜しいことである。
【０００４】
このことから分かるように、上述の従来の物品にはまだ多くの欠点があり、優れた設計であるとは言えず、改良が待たれている。
本考案の考案者は上述の従来のアルバムリーフに派生する各項の欠点に鑑みて改良を行い、長年の苦心と研究を経てついに本考案のアルバムリーフの構造改良の開発に至ったものである。
【考案の開示】
【考案が解決しようとする課題】
【０００５】
本考案の目的は、リーフを跨いで図画を設置するときの連続性に優れ、ページめくりを円滑に行うことができる、アルバムリーフの構造改良を提供することにある。
【０００６】
本考案の別の目的は、図画の全体構造性を破壊せず、同時にその強度を向上することができる、アルバムリーフの構造改良を提供することにある。      
【課題を解決するための手段】
【０００７】
本考案のアルバムリーフのの構造改良は、前記アルバムリーフが底層板を備え、且つ、この底層板は矩形の片体であり、同時に、前記底層板はPVC材質から成り、耐腐蝕性及び耐磨耗性を備えており、大幅にアルバムの保存効果を向上することができ、前記底層板上に図画が粘着固定され、前記図画は二枚の底層板を跨いで設置され、且つ二枚の底層板間に間隙が留められ、折り返して収納するとき、二枚の底層板間の図画が自然に底層板の間に向かって延伸され、底層板間に向かって延伸された図画は略C字形になり、大幅にその全体強度を向上することができると同時に、図画の全体性が破壊されず、ページを跨いでも折線がつかず、また二枚のページを用いて図画をつなげる必要もない。
【考案の効果】
【０００８】
本考案のアルバムリーフは、ページを跨いで図画が貼り付けられても折線がつかず、また二枚のページを用いて図画をつなげる必要もなく、図画の全体性を維持する効果が達せられるほか、アルバムリーフ間が一枚の図画の貼り付けで固定されるため、ページ間の連続性に優れているだけでなく、アルバムリーフ間の平坦度も相対して向上され、また、図画がページを跨いで設置する必要がある場合、または１ページのみに設置して使用する場合のいずれにおいても、図画を底層板上に貼り付けるだけでよく、図画に機械で折り曲げ溝を加工する必要はないため、製造を容易にする効果が達せられ、大幅に製造コストを抑え、市場競争力を向上することができる。
【考案を実施するための最良の形態】
【０００９】
図３から図５に本考案のアルバムリーフの構造改良の断面構造図及び立体構造図を示す。前記アルバムリーフ２は底層板３を備え、且つ、底層板３は矩形の片体であり、同時に、前記底層板３はPVC材質から成り、耐腐蝕性及び耐磨耗性を備えており、大幅にアルバム４の保存効果を向上することができる。
【００１０】
前記底層板３上に図画５が粘着固定され、前記図画５は二枚の底層板３を跨いで設置され、且つ、二枚の底層板３間には間隙が留められ、折り返して収納するときは、二枚の底層板３間の図画５が自然に底層板３の間に向かって延伸され、底層板３の間に向かって延伸された図画は略C字形に湾曲された状態となり、これにより、使用者は容易にページをめくって使用することができ、大幅にその全体強度が向上され、且つ、図画５の全体性を破壊することなく、ページを跨いだときの連続性が得られ、ページめくりを円滑に行うことができる。上述の図画５を底層板３に貼り付けるとき、接着剤は底層板３に完全に塗布する必要はなく、接着剤を上下の垂直な縦線状または左右の水平な横線状に塗布するだけで、粘着固定の効果を達することができ、同時に、効果的に接着剤の使用コストを抑えることができる。
【００１１】
このほか、アルバムリーフ２間が一枚の図画５の貼り付けにより固定されるため、リーフ間の連続性が優れているだけでなく、アルバムリーフ２間の平坦度も相対して向上され、また、図画５がページを跨いで設置する必要がある場合、または１ページのみに設置して使用する場合のいずれにおいても、図画５を底層板３上に貼り付けるだけでよく、図画５に機械で折り曲げ溝を加工する必要がないため、製造を容易にする効果が達せられ、大幅に製造コストを抑え、市場競争力を向上することができる。
【００１２】
上述の詳細な説明は、本考案の最良の実施例に基づく具体的な説明であり、前記実施例は本考案の特許範囲を制限するものではなく、本考案の技術的要旨を逸脱しない同等効果を持つ実施または変更は、すべて本考案の特許範囲に含まれるものとする。
【００１３】
上述をまとめると、本考案は空間形態上確実に新しいものであるだけでなく、且つ従来の物品に比べ上述のような多くの効果を備えており、新規性と進歩性という法定の特許要件を満たしているため、法に基づき出願を提出するものであり、本件の出願案の実用新案登録を許可していただけるよう願うものである。
【図面の簡単な説明】
【００１４】
【図１】従来のアルバムリーフの断面図である。
【図２】従来のアルバムリーフの折り返した後の断面図である。
【図３】本考案のアルバムリーフの構造改良の断面図である。
【図４】本考案のアルバムリーフの構造改良の部分拡大図である。
【図５】本考案のアルバムリーフの構造改良の立体図である。
【符号の説明】
【００１５】
１０      アルバムリーフ
１１    底層板
１２    内層紙
１３    折り曲げ溝
１４    隙間
２      アルバムリーフ
３      底層板
４      アルバム
５      図画
【図１】
0003143233.tif 000003
【図２】
0003143233.tif 000004
【図３】
0003143233.tif 000005
【図４】
0003143233.tif 000006
【図５】
0003143233.tif 000007
【手続補正書】
【提出日】平成20年5月9日(2008.5.9)
【手続補正１】
【補正対象書類名】実用新案登録請求の範囲
【補正対象項目名】全文
【補正方法】変更
【補正の内容】
【実用新案登録請求の範囲】
【請求項１】
アルバムリーフの改良構造であって、前記アルバムリーフがPVC材質から成る底層板を備
え、前記底層板上に二枚の底層板に跨いで図画が粘着固定され、且つ、二枚の底層板間に間隙が留められ、前記アルバムリーフを折り返して収納するとき、二枚の底層板間の図画が自然に底層板間に向かって延伸されて略C字形に湾曲された状態となることを特徴とする、アルバムリーフの改良構造。        
【請求項２】
前記底層板が矩形の片体であることを特徴とする、請求項１に記載のアルバムリーフの改良構造。
【請求項３】
前記図画を底層板に粘着するとき、接着剤を上下の垂直な縦線状または左右の水平な横線状に塗布することを特徴とする、請求項１に記載のアルバムリーフの改良構造。
【手続補正３】
【補正対象書類名】明細書
【補正対象項目名】０００１
【補正方法】変更
【補正の内容】
【０００１】
本考案はアルバムリーフの改良構造に関し、特に、ページを跨いで図画を配置したとき
折線がつかず、同時に図画の完全性が破壊されることがなく、大幅にアルバム全体の強度
を向上することができる、アルバムリーフの改良構造に関する。